(57)【要約】【課題】光学系ユニットの内部に安定した清浄な空気の流れを供給し、光学部材への塵埃の付着を積極的に防止し、光学部材をメンテナンスフリーとする。【解決手段】ファンモータ５７はフィルタ５８を介して装置本体の内部の空気を光学ユニットカバー５３内に取り込んで、矢印に示すような経路でスリット４９、５０の間及びガイド板４０の開口４０ａから光拡散板４５に向けて空気を噴出する。これにより、スリット４９、５０の間と光拡散板４５の周辺に空気の強い流れが形成されるため、フィルムＦの表面に付着した塵埃の除去、光拡散板４５上の塵埃の除去がなされる。除去された塵埃は空気と共に開口から外部に排出される。更に、矢印に示される空気の強い流れによって光学ユニット２８の光学部材に付着した塵埃も取り除かれ、光学部材がメンテンナンスフリーとなる。【選択図】図２
2007150815.tif 000002
【特許請求の範囲】
【請求項１】
画像を有するフィルムをフィルム供給部から搬送機構により搬送し、搬送経路に配置した光透過部材を介して光源からの光を前記フィルムに照射し、前記フィルムの画像を光学部材を備えた読取光学系により読み取りを行う画像読取装置において、前記読取光学系を画像読み取りに際して光束を通過するスリットを除いてカバーにより密閉し、空気供給手段から前記カバー内に空気を供給して、前記スリットから空気を排出することを特徴とする画像読取装置。
【請求項２】
前記スリットの近傍に前記光透過部材を配置したことを特徴とする請求項１に記載の画像読取装置。
【請求項３】
前記空気供給手段は前記カバーに取り付けたことを特徴とする請求項１に記載の画像読取装置。
【請求項４】
前記空気供給手段はフィルタを通した清浄な空気を供給することを特徴とする請求項１に記載の画像読取装置。
【請求項５】
前記空気供給手段はファンモータとしたことを特徴とする請求項１〜４の何れか１つの請求項に記載の画像読取装置。
【請求項６】
前記光透過部材は光拡散板としたことを特徴とする請求項１又は２に記載の画像読取装置。
【発明の詳細な説明】
【技術分野】
【０００１】
本発明は、フィルムに形成された画像を読み取る画像読取装置に関するものである。
【背景技術】
【０００２】
この種の装置は特許文献１、２に開示されている。図３は特許文献１による従来例１の構成図を示している。この従来例１では、フィルムＦを読み取る際に光が通過する光拡散板１に塵埃等が付着した時に、装置本体２の内部の光拡散板１の汚れを検知する手段を付設し、この検知された光拡散板１の汚れを払拭し得る図示しない掃除具を備えている。
【０００３】
装置本体２の内部において、フィルムＦを供給するサプライトレイ３とフィルムを排出するレシーブトレイ４の間に搬送機構５、副走査機構６が設けられ、副走査機構６の上方に光学ユニット７が設けられている。
【０００４】
図４は副走査機構６の要部拡大図を示している。第１のローラ対８と第２のローラ対９の間には、主走査方向にそれぞれ開口１０ａ、１１ａを有する一対のガイド板１０、１１が、フィルムＦの通路の上下両側に配置されている。ガイド板１０の上方にスリット１２、１３が設けられており、下方のガイド板１１の開口１１ａに光拡散板１が取り付けられ、更に光拡散板１の下方にはフィルタ１４を介してランプ１５が配置されている。
【０００５】
ランプ１５と光学ユニット７の間に、ランプ１５から出射され光拡散板１を透過する光の強度を測定する手段を付設し、フィルムＦを搬送しない状態で、ランプ１５から光拡散板１に向けて光束を出射し、透過光の強度を測定する。その測定値を、未使用の光拡散板１を取り付けた状態で測定した透過光の強度と比較し、相対値が或る一定値を下回ると検知するような手段を設けることで、光拡散板１の汚れの検知ができる。
【０００６】
また、フィルムＦを搬送機構５により搬送する場合と同様に、薄い形状の掃除具をガイド板１０、１１の間に挿入し、この掃除具を光拡散板１の表面に接触させることで、光拡散板１上の汚れを拭き取ることができる。
【０００７】
しかし、スリット１２、１３に付着した塵埃を除去するためには、図５に示すようにスリット１２、１３を副走査機構６から外した状態でなければならない。
【０００８】
従来例２では、装置本体２を分解することなく、スリット１２、１３に付着した塵埃を除去できるようになっている。図６は図４の側面方向から見た従来例２の断面図であり、スリット１２、１３に付着した塵埃を除去する手段を示している。スリット１２、１３の一端には、中空管１６が配置され、装置本体２の外部に連通されており、中空管１６の空気注入口１６ａにブロア１７のノズル１８を挿入されている。
【０００９】
ノズル１８から中空管１６を介してスリット１２、１３に、ブロワ１７で発生した高圧の空気を強く噴射すると、略筒状に構成されたスリット１２、１３の内側に強い空気の流れが形成され、スリット１２、１３の内側に付着した塵埃は除去される。更に、スリット１２、１３から光拡散板１に向けて強い空気の流れが生じ、光拡散板１に付着した塵埃も除去され、除去された塵埃は装置本体２の隙間から外部に放出される。
【００１０】
【特許文献１】特開平１０−２１０２０２号公報
【特許文献２】特開２０００−１５４４９６号公報
【発明の開示】
【発明が解決しようとする課題】
【００１１】
しかしながら上述の従来例１、２では、塵埃が光学部材に付着する度に装置本体２を分解したり、掃除具やブロア１７を用いて塵埃を除去する必要がある。特に、保管状態の悪いフィルムＦの読み取りを行った場合には、光学部材に付着した塵埃を頻繁に除去する必要がある。掃除具やブロア１７を用いて頻繁に塵埃を除去することは、掃除具やブロア１７の劣化を早め、また、装置本体２を分解する際に内部機器を破損してしまう虞れがある。
【００１２】
本発明の目的は、上述の問題点を解消し、光学部材に常に清浄な空気の流れを供給し塵埃の付着を積極的に防止することにより、光学部材がメンテナンスフリーとなる画像読取装置を提供することにある。
【課題を解決するための手段】
【００１３】
上述の目的を達成するための本発明に係る画像読取装置の技術的特徴は、画像を有するフィルムをフィルム供給部から搬送機構により搬送し、搬送経路に配置した光透過部材を介して光源からの光を前記フィルムに照射し、前記フィルムの画像を光学部材を備えた読取光学系により読み取りを行う画像読取装置において、前記読取光学系を画像読み取りに際して光束を通過するスリットを除いてカバーにより密閉し、空気供給手段から前記カバー内に空気を供給して、前記スリットから空気を排出することにある。
【発明の効果】
【００１４】
本発明に係る画像読取装置によれば、読取光学系内に常に清浄な空気の流れを供給することにより、光学部材への塵埃の付着を防止できる。
【発明を実施するための最良の形態】
【００１５】
本発明を図１、図２に図示の実施例に基づいて詳細に説明する。
図１は実施例の画像読取装置の構成図である。装置本体２１の下部にフィルム供給部開口２２が設けられ、フィルムＦを積み重ねて収納するサプライトレイ２３が、装置本体２１に挿着されている。また、装置本体２１の上部には同様にフィルム排出部開口２４が設けられ、読み取られたフィルムＦを受け入れるためのレシーブトレイ２５が、装置本体２１に挿着されている。
【００１６】
サプライトレイ２３とレシーブトレイ２５の間に搬送機構２６、副走査機構２７が設けられ、副走査機構２７の上方には光学ユニット２８が配置されている。また、ファンモータ２９がエアフィルタ３０を介して装置本体２１の筐体に取り付けられている。
【００１７】
搬送機構２６には、フィルムＦをサプライトレイ２３からレシーブトレイ２５に導くガイド板３１、３２が、点Ｃを中心として円弧状に所定の間隙で設けられている。ガイド板３１、３２の円弧の中心部には、回転搬送部３３が点Ｃを中心に自在に回動できるように設けられ、回転搬送部３３にはフィルムＦを吸着する吸盤３４が付設されている。吸盤３４は点Ｃからの距離を自在に調節できるように設定されており、またサプライトレイ２３からフィルムＦを吸着して持ち上げ、ガイド板３１、３２によるフィルム搬送経路の終端でフィルムＦを解放するようにされている。
【００１８】
副走査機構２７には、回転搬送部３３の吸盤３４により搬送されたフィルムＦの前端を受け入れる第１のローラ対３５、３６と、これらの第１のローラ対３５、３６により搬送されたフィルムＦを受け入れる第２のローラ対３７、３８とが設けられている。例えば、第１のローラ対３５、３６は図示しない駆動モータにより駆動され、上部のローラ３５、３７の間には、それらに接触するプーリ３９が介在されている。また、第２のローラ対３７、３８は第１のローラ対３５、３６に従動し、フィルムＦをレシーブトレイ２５に排出するようにされている。
【００１９】
図２は副走査機構２７と光学ユニット２８の拡大図を示している。第１のローラ対３５、３６と第２のローラ対３７、３８の間には、一対の平面ガイド板４０、４１が、フィルムＦをそれぞれ上下から挟むように通路を形成しており、これらのガイド板４０、４１はそれぞれ開口４０ａ、４１ａを有している。
【００２０】
ガイド板４０、４１の下方には、リフレクタ４２付きのランプ４３が設けられ、上方への光路上には、熱吸収フィルタ４４、ガイド板４１の開口４１ａに取り付けられた光拡散板４５、ガイド板４０に設けられた開口４０ａが順次に配置されている。ガイド板４０の開口４０ａの出口方向には、スリット支持部４６、４７が光学ユニット２８の光学基台４８の下方に固定され、スリット支持部４６、４７の下部に設けられたスリット４９、５０が、ガイド板４０の開口４０ａの近傍に付設されている。また、スリット支持部４６、４７の外側にはスリットカバー５１、５２が配置されている。
【００２１】
光学ユニット２８の光学基台４８には開口４８ａが設けられ、更に光学ユニット２８の光学ユニットカバー５３の内部には、反射ミラー５４が配置され、反射ミラー５４の反射方向にはレンズ５５、ＣＣＤ５６が配列されている。ＣＣＤ５６の後方の光学ユニットカバー５３には、空気を光学ユニットカバー５３内に吸引するためのファンモータ５７が固定され、その後部にエアフィルタ５８が取り付けられている。
【００２２】
ファンモータ５７による送風は、光学ユニットカバー５３の内部、光学基台４８の開口４８ａ、スリット支持部４６、４７の間、スリット４９、５０の間を通って、ガイド板４０の開口４０ａから光拡散板４５に向けて噴出されるようになっている。
【００２３】
フィルムＦに記録された画像を読み取る際には、搬送機構２６の吸盤３４が位置ａから位置ｂに下降し、サプライトレイ２３に積層された１枚のフィルムＦを吸着して位置ｃまで上昇する。次に、回転搬送部３３の回動によりフィルムＦをガイド板３１、３２によって作られる経路に沿って位置ｄまで搬送し、フィルムＦの先端を第１のローラ対３５、３６に挿入する。そして、吸盤３４は位置ｅに移動した後にフィルムＦを解放し、回転搬送部３３は最初の位置に戻る。
【００２４】
ここでランプ４３が点灯し、第１のローラ対３５、３６はフィルムＦを更に搬送し、ガイド板４０、４１を経て第２のローラ対３７、３８の間にフィルムＦを挿入する。フィルムＦがガイド板４０、４１の間を通過する際に、ランプ４３から出射されリフレクタ４２で集光された光束は、熱吸収フィルタ４４と光拡散板４５とを透過してフィルムＦに入射する。フィルムＦを透過した光束は、スリット４９、５０の間を通過した後に光学ユニットカバー５３内に入り、反射ミラー５４で反射され、レンズ５５を透過してＣＣＤ５６に入射する。ＣＣＤ５６においてフィルムＦの画像が読み取られ、読み取りが終了したフィルムＦは第２のローラ対３７、３８によりレシーブトレイ２５に排出される。
【００２５】
この間、ファンモータ２９はエアフィルタ３０を介して清浄な外気を装置本体２１の内部に供給し、装置本体２１の内部の空気がフィルム供給部開口２２及びフィルム排出部開口２４を介して外部に排出されるという空気の流れが形成される。
【００２６】
更に、ファンモータ５７はフィルタ５８を介して装置本体２１の内部の空気を光学ユニットカバー５３内に取り込んで、図２の矢印に示すような経路でスリット４９、５０の間及びガイド板４０の開口４０ａから光拡散板４５に向けて空気を噴出する。これにより、スリット４９、５０の間と光拡散板４５の周辺に空気の強い流れが形成されるため、フィルムＦの表面に付着した塵埃の除去、光拡散板４５上の塵埃の除去がなされる。除去された塵埃は、空気と共にフィルム供給部開口２２及びフィルム排出部開口２４から外部に排出される。
【００２７】
更には、フィルムＦの表面に付着した塵埃の除去がなされると同時に、図２の矢印に示される空気の強い流れによって、光学ユニット２８の光学部材に付着した塵埃も取り除かれ、光学部材がメンテンナンスフリーとなる。
【図面の簡単な説明】
【００２８】
【図１】実施例の画像読取装置の構成図である。
【図２】副走査機構と光学ユニットの拡大図である。
【図３】従来例１の画像読取装置の構成図である。
【図４】従来例１の副走査機構の要部拡大図である。
【図５】従来例１の塵埃を除去するためにスリットを取り外した状態の副走査機構の要部拡大図である。
【図６】従来例２の側方から見た断面図である。
【符号の説明】
【００２９】
２１  装置本体
２２  フィルム供給部開口
２４  フィルム排出部開口
２６  搬送機構
２７  副走査機構
２８  光学ユニット
２９、５７  ファンモータ
３０、５８  エアフィルタ
３３  回転搬送部
３４  吸盤
４０、４１  ガイド板
４３  ランプ
４５  光拡散板
４８  光学基台
４９、５０  スリット
５３  光学ユニットカバー
５４  反射ミラー
５５  レンズ
５６  ＣＣＤ
Ｆ  フィルム
【図１】
2007150815.tif 000003
【図２】
2007150815.tif 000004
【図３】
2007150815.tif 000005
【図４】
2007150815.tif 000006
【図５】
2007150815.tif 000007
【図６】
2007150815.tif 000008